Podtech/llm-jp-corpus-v4-ja_patent huggingface dataset:
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１群、正の屈折力の第２群、撮像素子を含む第３群より構成され、広角端から望遠端へのズーミングに際して前記第１群は不動であり、前記第２群は物体側へ移動し、前記第３群は移動し、前記第１群の焦点距離をＦ１、前記第２群と前記第３群の広角端における合成焦点距離をＦＲ、広角端における全系の焦点距離をＦｗとするとき、
０．２５ ＜｜Ｆｗ／Ｆ１｜＜  ０．６
０．２５ ＜  Ｆｗ／ＦＲ  ＜  ０．９
なる条件を満足することを特徴とする撮像装置。
【請求項２】
前記第３群は屈折力のあるレンズ部材を有することを特徴とする請求項１の撮像装置。
【請求項３】
前記第３群は前記撮像素子と屈折力のない光学部材より構成されていることを特徴とする請求項１の撮像装置。
【請求項４】
前記第３群は、前記撮像素子から構成されていることを特徴とする請求項１の撮像装置。
【請求項５】
前記第１群は、光軸を偏向させる反射部材を有することを特徴とする請求項１から４のいずれか１項の撮像装置。
【請求項６】
前記撮像素子の有効画面の対角線長をＬＤとするとき、該撮像素子から空気換算長で距離1.5×ＬＤ以内に、屈折力のあるレンズ部材を有することを特徴とする請求項１乃至５のいずれか１項の撮像装置。
【請求項７】
前記レンズ部材は、正の屈折力のレンズより成り、該正の屈折力のレンズの焦点距離をＰＦＬ、広角端における全系の焦点距離をＦｗとするとき、
０．１２＜  Ｆｗ／ＰＦＬ  ＜  ０．５
なる条件を満足することを特徴とする請求項６の撮像装置。
【請求項８】
前記レンズ部材は非球面形状の面を含む負の屈折力のレンズより成ることを特徴とする請求項６の撮像装置。
【手続補正２】
【補正対象書類名】明細書
【補正対象項目名】００１３
【補正方法】変更
【補正の内容】
【００１３】
本発明の撮像装置は、物体側より像側へ順に、負の屈折力の第１群、正の屈折力の第２群、撮像素子を含む第３群より構成され、広角端から望遠端へのズーミングに際して前記第１群は不動であり、前記第２群は物体側へ移動し、前記第３群は移動し、前記第１群の焦点距離をＦ１、前記第２群と前記第３群の広角端における合成焦点距離をＦＲ、広角端における全系の焦点距離をＦｗとするとき、
０．２５ ＜｜Ｆｗ／Ｆ１｜＜  ０．６
０．２５ ＜  Ｆｗ／ＦＲ  ＜  ０．９
なる条件を満足することを特徴としている。
【手続補正３】
【補正対象書類名】明細書
【補正対象項目名】００４９
【補正方法】変更
【補正の内容】
【００４９】
第２群Ｌ２は広角端から望遠端へのズーミングに際して物体側へ移動する。
【手続補正４】
【補正対象書類名】明細書
【補正対象項目名】００７６
【補正方法】変更
【補正の内容】
【００７６】
第１レンズ群Ｌ１の焦点距離（第１群の焦点距離）をＦ１とする。
【手続補正５】
【補正対象書類名】明細書
【補正対象項目名】００７７
【補正方法】変更
【補正の内容】
【００７７】
第２群Ｌ２と第３群Ｌ３の合成した群（後群）の広角端（第２群と第３群の広角端）における合成焦点距離をＦＲとする。
【手続補正６】
【補正対象書類名】図面
【補正対象項目名】図４１
【補正方法】変更
【補正の内容】
【図４１】
2008139755.tif 000001
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
画像表示期間とブランク期間とを有する液晶表示装置の駆動方法であって、
前記画像表示期間は、平均輝度よりも高い瞬間輝度で表示され、
前記ブランク期間は表示されず、
前記画像表示期間と前記ブランク期間との比率は画像に応じて変化することを特徴とする液晶表示装置の駆動方法。
【請求項２】
請求項１において、第１及び第２の画像表示期間と第１及び第２のブランク期間とを有し、前記第１の画像表示期間の瞬間輝度は、前記第２の画像表示期間の瞬間輝度と異なることを特徴とする液晶表示装置の駆動方法。
【請求項３】
請求項１または２において、前記瞬間輝度は、前記比率に応じて変化することを特徴とする液晶表示装置の駆動方法。
【請求項４】
請求項１乃至３のいずれか一項において、前記瞬間輝度は、バックライトの輝度を制御することによって制御することを特徴とする液晶表示装置の駆動方法。
【請求項５】
請求項１乃至４のいずれか一項において、前記瞬間輝度は、液晶素子の透過率を制御することによって制御することを特徴とする液晶表示装置の駆動方法。
【請求項６】
液晶素子とバックライトとを有する液晶表示装置であって、
画像表示期間とブランク期間とを有し、
前記画像表示期間は、平均輝度よりも高い瞬間輝度で表示され、
前記ブランク期間は表示されず、
前記画像表示期間と前記ブランク期間との比率は画像に応じて変化することを特徴とする液晶表示装置。
【請求項７】
請求項６において、第１及び第２の画像表示期間と第１及び第２のブランク期間とを有し、前記第１の画像表示期間の瞬間輝度は、前記第２の画像表示期間の瞬間輝度と異なることを特徴とする液晶表示装置。
【請求項８】
請求項６または７において、前記瞬間輝度は、前記比率に応じて変化することを特徴とする液晶表示装置。
【請求項９】
請求項６乃至８のいずれか一項において、前記瞬間輝度は、前記バックライトの輝度を制御することによって制御することを特徴とする液晶表示装置。
【請求項１０】
請求項６乃至９のいずれか一項において、前記瞬間輝度は、前記液晶素子の透過率を制御することによって制御することを特徴とする液晶表示装置。
【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
インク供給部と開口縁に外側に突出したフランジとを有する第一の容器と、前記第一の容器のフランジと接合されて前記第一の容器と共にインクを収容する空間を形成する第二の容器と、前記第二の容器に接合される蓋部材とを有するインクカートリッジにおいて、
前記第二の容器は、前記第二の容器の前記蓋部材と接合される開口縁に形成された第一のフランジと、前記第二の容器の前記第一の容器のフランジと接合される開口縁に形成された第二のフランジであって、前記第一の容器のフランジと接合される面に溶着リブを備えた第二のフランジとを有し、前記第一及び第二のフランジの一方は前記第二の容器の外側に突出し、他方は前記第二の容器の内側に突出していることを特徴とするインクカートリッジ。
【請求項２】
前記第一のフランジは前記第二の容器の外側に突出し、前記第二のフランジは前記第二の容器の内側に突出していることを特徴とする請求項１に記載のインクカートリッジ。
【請求項３】
前記第一のフランジは前記第二の容器の内側に突出し、前記第二のフランジは前記第二の容器の外側に突出していることを特徴とする請求項１に記載のインクカートリッジ。
【請求項４】
前記第二の容器の側壁の内側には、前記第一のフランジまたは前記第二のフランジに対して垂直に配置された複数のリブが設けられていることを特徴とする請求項１または２に記載のインクカートリッジ。
【請求項５】
前記第二の容器の側壁の外側には、前記第一のフランジまたは前記第二のフランジに対して垂直に配置された複数のリブが設けられていることを特徴とする請求項１ないし３のいずれか１項に記載のインクカートリッジ。
【手続補正２】
【補正対象書類名】明細書
【補正対象項目名】００１２
【補正方法】変更
【補正の内容】
【００１２】
上記目的を達成するため、本発明のインクカートリッジは、インク供給部と開口縁に外側に突出したフランジとを有する第一の容器と、前記第一の容器のフランジと接合されて前記第一の容器と共にインクを収容する空間を形成する第二の容器と、前記第二の容器に接合される蓋部材とを有するインクカートリッジにおいて、前記第二の容器は、前記第二の容器の前記蓋部材と接合される開口縁に形成された第一のフランジと、前記第二の容器の前記第一の容器のフランジと接合される開口縁に形成された第二のフランジであって、前記第一の容器のフランジと接合される面に溶着リブを備えた第二のフランジとを有し、前記第一及び第二のフランジの一方は前記第二の容器の外側に突出し、他方は前記第二の容器の内側に突出していることを特徴とする。
【手続補正３】
【補正対象書類名】明細書
【補正対象項目名】００４０
【補正方法】変更
【補正の内容】
【００４０】
次に、図１０（ｂ）に示すように第一の容器１０１に吸収体４０１を挿入し、吸収体４０１にインクを含ませる。続いて、図１０（ｃ）に示すように、蓋部材３０１が接合された第二の容器２０１を吸収体４０１の上から被せるようにして、第一及び第二の容器１０１，２０１の内部に吸収体４０１を収容する。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
炭酸根を含有するアルカリ過マンガン酸エッチング溶液の所定量を第１反応室に収容した後、前記溶液を攪拌しつつ、前記溶液中の炭酸根と反応して難溶性又は不溶性固体物質を生成するストロンチウム化合物を添加し、
次いで、前記第１反応室の側部又は上部に形成された第１液体排出部に設けられた第１フィルタを介して、前記第１反応室内の溶液を排出し、
且つ前記第１フィルタを通過できずに第１反応室の底部に沈殿した前記難溶性又は不溶性固体物質を含む沈殿物を、前記第１反応室から排出することを特徴とするエッチング溶液の処理方法。
【請求項２】
ストロンチウム化合物として、塩化ストロンチウムを使用する請求項１に記載のエッチング溶液の処理方法。
【請求項３】
ストロンチウム化合物を、使用済みのアルカリ過マンガン酸エッチング溶液中の炭酸根に対して０．９４モル当量以上添加する請求項１又は請求項２記載のエッチング溶液の処理方法。
【請求項４】
第１フィルタに付着した難溶性又は不溶性固体物質の一部を、第１液体排出部の遮蔽壁を兼ねた第１スキージ扉により掻き落す請求項１〜３のいずれか一項記載のエッチング溶液の処理方法。
【請求項５】
第１反応室の液体排出部から排出された溶液を第２反応室に収容し、前記溶液に含まれる難溶性又は不溶性固体物質を沈殿させつつ、前記第２反応室の側部に形成された第２液体排出部に設けられた第２フィルタを介して前記溶液を排出し、
且つ前記第２フィルタを通過できず第２反応室の底部に沈殿した難溶性又は不溶性固体物質を含む沈殿物を第２反応室から排出する請求項１〜４のいずれか一項に記載のエッチング溶液の処理方法。
【請求項６】
第２フィルタに付着した難溶性又は不溶性固体物質を、第２液体排出部の遮蔽壁を兼ねた第２スキージ扉により掻き落とす請求項５に記載のエッチング溶液の処理方法。
【手続補正２】
【補正対象書類名】明細書
【補正対象項目名】０００９
【補正方法】変更
【補正の内容】
【０００９】
本発明者は、前記課題を解決すべく検討を重ねた結果、アルカリ過マンガン酸エッチング溶液中の炭酸根とストロンチウム化合物とを反応させると、難溶性又は不溶性固体物質を生成し、かかる難溶性又は不溶性固体物質を除去することによってアルカリ過マンガン酸エッチング溶液中の炭酸根を除去できること、及びかかるアルカリ過マンガン酸エッチング溶液中の炭酸根の処理をバッチ処理で行うことによって、アルカリ過マンガン酸エッチング溶液中で生成した難溶性又は不溶性固体物質を反応室内で充分に沈殿できることを見出し、本発明に到達した。
すなわち、本発明は、炭酸根を含有するアルカリ過マンガン酸エッチング溶液の所定量を第１反応室に収容した後、前記溶液を攪拌しつつ、前記溶液中の炭酸根と反応して難溶性又は不溶性固体物質を生成するストロンチウム化合物を添加し、次いで、前記第１反応室の側部又は上部に形成された第１液体排出部に設けられた第１フィルターを介して、前記第１反応室内の溶液を排出し、且つ前記第１フィルターを通過できずに第１反応室の底部に沈殿した前記難溶性又は不溶性固体物質を含む沈殿物を、前記第１反応室から排出することを特徴とするエッチング溶液の処理方法にある。
【手続補正３】
【補正対象書類名】明細書
【補正対象項目名】００１４
【補正方法】変更
【補正の内容】
【００１４】
アルカリ過マンガン酸エッチング溶液１２にストロンチウム化合物１４の粉末又は水溶液が添加された第１反応室２０内の溶液２４は、第１反応室２０の側部に連結されたポンプＰ２によって攪拌される。第１反応室２０内の溶液２４中には、アルカリ過マンガン酸エッチング溶液中の炭酸根とストロンチウム化合物との反応生成物から成る難溶性又は不溶性固体物質を含む沈殿物２６が、第１反応室２０内で沈降し底部に溜まる。
【手続補正４】
【補正対象書類名】明細書
【補正対象項目名】００１６
【補正方法】変更
【補正の内容】
【００１６】
第２次反応室４０の排出側の側壁部又は上部には、第２液体排出部としての排出口４４に設けられた第２フィルター４２を介して第２次反応室４０内の液体２４を排出する。第２フィルター４２にも、第１フィルター２８と同様に、排出口４４の遮蔽壁を兼ねた第２スキージ扉４６が設けられている。この第２スキージ扉４６も、第１スキージ扉３４と同様に、矢印Ｂのように上下移動可能になっており、排出口４４の開閉を行うと共に、液体２４が第２フィルター４２を通過する際に、第２フィルター４２に付着した難溶性又は不溶性固体物質を含む沈殿物２６を掻き落とす作用をする。排出口４４にはポンプＰ４が設けられ、このポンプＰ４により第２次反応室４０内の液体２４は電解再生槽５０に送られる。
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
電池電圧を検出する電池電圧検出手段と、
基準電圧を発生する基準電圧発生手段と、
前記電池電圧と前記基準電圧との比較に基づいて充電制御を行う制御手段と、を備え、
前記制御手段は、前記電池電圧が前記基準電圧に到達したときに、充電電流を減少させるように制御すると共に、前記電圧検出手段で検出された電池電圧が前記基準電圧発生手段で発生する電圧値よりも所定値以上大きくなったときに充電を停止することを特徴とする充電装置。
【請求項２】
前記制御手段は、前記電池電圧が前記基準電圧に複数回到達したときには充電を終了させるようにしたことを特徴とする請求項１記載の充電装置。
【請求項３】
電池電圧を検出する電池電圧検出手段と、
基準電圧を発生する基準電圧発生手段と、
前記電池電圧と前記基準電圧との比較に基づいて充電制御を行う制御手段と、を備え、
前記制御手段は、前記電池電圧が前記基準電圧に到達したときに、充電電流を減少させるように制御すると共に、前記電圧検出手段で検出された電池電圧が前記基準電圧発生手段で発生する電圧値に到達したときに充電を停止することを特徴とする充電装置。
【請求項４】
請求項１〜３の何れかに記載の充電装置であって、リチウム電池を充電することを特徴とする充電装置。
【手続補正２】
【補正対象書類名】明細書
【補正対象項目名】０００６
【補正方法】変更
【補正の内容】
【０００６】
上記目的を達成するため、請求項１記載の発明は、
電池電圧を検出する電池電圧検出手段と、
基準電圧を発生する基準電圧発生手段と、
前記電池電圧と前記基準電圧との比較に基づいて充電制御を行う制御手段と、を備え、
前記制御手段は、前記電池電圧が前記基準電圧に到達したときに、充電電流を減少させるように制御すると共に、前記電圧検出手段で検出された電池電圧が前記基準電圧発生手段で発生する電圧値よりも所定値以上大きくなったときに充電を停止することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２記載の発明は、請求項１記載の発明において、前記制御手段は、前記電池電圧と前記基準電圧との比較に基づいて充電電流を制御するものであって、
前記電池電圧が前記基準電圧に複数回到達したときには充電を終了させるようにしたことを特徴とする。
【手続補正５】
【補正対象書類名】明細書
【補正対象項目名】０００９
【補正方法】変更
【補正の内容】
【０００９】
請求項３記載の発明は、
電池電圧を検出する電池電圧検出手段と、
基準電圧を発生する基準電圧発生手段と、
前記電池電圧と前記基準電圧との比較に基づいて充電制御を行う制御手段と、を備え、
前記制御手段は、前記電池電圧が前記基準電圧に到達したときに、充電電流を減少させるように制御すると共に、前記電圧検出手段で検出された電池電圧が前記基準電圧発生手段で発生する電圧値に到達したときに充電を停止することを特徴とする充電装置。
【手続補正６】
【補正対象書類名】明細書
【補正対象項目名】００１０
【補正方法】変更
【補正の内容】
【００１０】
請求項４記載の発明は、請求項１〜３の何れかに記載の充電装置であって、リチウム電池を充電することを特徴とする。
【手続補正７】
【補正対象書類名】明細書
【補正対象項目名】００１１
【補正方法】変更
【補正の内容】
【００１１】
請求項１〜２記載の発明によれば、電圧検出手段に充電に要する充電電圧に相当する値を入力し、該値のＡ／Ｄ値が電圧検出手段によって検出された電池電圧のＡ／Ｄ値と一致するよう電圧分圧手段の可変抵抗を調整し、充電中において電圧検出手段によって検出された値のＡ／Ｄ値が電圧分圧手段によって分圧された値のＡ／Ｄ値よりも所定値以上大きくなったときに充電を停止するようにしたため、安価な回路で電池の電池電圧を高精度に検出することができ、安全確実にリチウムイオン電池等の２次電池を充電することができる。
【手続補正８】
【補正対象書類名】明細書
【補正対象項目名】００１２
【補正方法】変更
【補正の内容】
【００１２】
請求項３記載の発明によれば、電圧検出手段には過充電であると判断する所定電圧値を入力し、該所定電圧値のＡ／Ｄと電圧検出手段によって検出された値のＡ／Ｄ値が一致するように電圧分圧手段の可変抵抗を調整し、充電中において電圧検出手段によって検出された値のＡ／Ｄ値が電圧分圧手段によって分圧された値のＡ／Ｄ値と一致したときに充電を停止するようにしたため、安価な回路で電池の電池電圧を高精度に検出することができ、安全確実にリチウムイオン電池等の２次電池を充電することができる。
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
保護回路を有する電池パックを充電する充電装置であって、
前記保護回路からの電池状態を報知する信号を受信することで充電停止する遮断手段と、
前記電池状態を報知する信号に基づいて充電動作の可否を判断する判断手段と、を備え、
前記判断手段による充電動作の可否よりも前記遮断手段の動作を遅延させることを特徴とする充電装置。
【請求項２】
前記遮断手段は、電池パックからの信号の入力に伴うスイッチング動作により充電を停止させるスイッチング素子を含んで構成されており、
前記スイッチング素子に入力される前記電池状態を報知する信号を遅延させる遅延回路を備えたことを特徴とする請求項１記載の充電装置。
【請求項３】
前記電池状態を報知する信号は、電池パックの電池電圧が所定値以上に達して過電圧であるか否かを報知する内容の信号であって、前記判断手段は前記電池パックからの信号が過電圧であることを示す内容であると判断したときには、充電を停止する動作を行うことを特徴とする請求項１又は２記載の充電装置。
【手続補正書】
【提出日】平成22年8月26日(2010.8.26)
【手続補正１】
【補正対象書類名】明細書
【補正対象項目名】００２８
【補正方法】変更
【補正の内容】
【００２８】
本発明の発酵乳の製造方法及び発酵乳においては、果物や野菜等を電解水と構成脂肪酸鎖がC12であるポリグリセリン脂肪酸エステル（ポリグリセリンラウリン酸エステル）とを混合した溶液（以下「第１の溶液」という。）で処理する。この第１の溶液による処理は、果物等を洗浄溶液に浸漬させる他、果物等に第１の溶液を接触させる等の処理であってもよい。この第１の溶液による処理は、洗浄殺菌作用がある。
【手続補正２】
【補正対象書類名】明細書
【補正対象項目名】００２９
【補正方法】変更
【補正の内容】
【００２９】
そして、生果物から第１の溶液を可能な限り取り除いた後、電解水と構成脂肪酸鎖がC8であるポリグリセリン脂肪酸エステル（ポリグリセリンカプリル酸エス テル）と混合した溶液（以下「第２の溶液」という。）で処理する。この第２の溶液による処理は、果物等を第２の溶液に浸漬させる他、果物等に洗浄溶液を接触させる等の処理であってもよい。この第２の溶液による処理は、洗浄抗菌作用がある。
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
金型部材における放電加工された加工部分の表面に生じている溶融残留層を、ワイヤ放電研削法により製作された焼結ダイヤモンドからなるツールを用い、かつツールの製作に用いたツール取付工具からツールを取り外すことなく除去することを特徴とする金型部材の加工方法。
【請求項２】
前記金型部材が超硬合金または導電性セラミックスまたは非導電性セラミックスからなる請求項１に記載の金型部材の加工方法。
【請求項３】
前記焼結ダイヤモンドからなるツールが断面円形である請求項１または２に記載の金型部材の加工方法。
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
入賞部への遊技球の入賞を検出する検出手段と、
前記検出手段からの検出結果に基づいて遊技を統括的に制御する遊技制御装置と、
入賞部に設けられた変動入賞装置と、を備えた遊技機において、
前記遊技制御装置は、
遊技に関する制御を行うＣＰＵと、
前記ＣＰＵからの制御指令信号を出力する出力ポート回路と、
前記ＣＰＵから出力されるアドレス信号に基づいて前記出力ポート回路に前記制御指令信号の取り込みを指示するアドレスデコード回路と、
前記出力ポート回路から出力される前記制御指令信号に基づいて前記変動入賞装置を駆動する駆動回路と、
前記検出手段からの検出信号が入力される入力ポート回路と、
前記検出手段と前記入力ポート回路の間に設けられ、前記検出手段からの検出信号を前記ＣＰＵで検出可能な所定の電圧値に降下させる電圧変換回路と、
前記検出手段と前記入力ポート回路の間に設けられる非可逆性の信号伝達回路と、
を備え、
回路基板に所定の配線パターンを設けることによって、遊技状態に対応して変化する信号を当該遊技制御装置の外部に出力する信号取り出し領域を形成し、
前記変動入賞装置を駆動させる前記制御指令信号を前記出力ポート回路の出力部から前記信号取り出し領域に伝達するようにするとともに、前記検出手段からの検出信号を前記非可逆性の信号伝達回路の出力部から前記信号取り出し領域に常時伝達するようにしたことを特徴とする遊技機。
【手続補正２】
【補正対象書類名】明細書
【補正対象項目名】００１１
【補正方法】変更
【補正の内容】
【００１１】
本発明は、入賞部への遊技球の入賞を検出する検出手段と、前記検出手段からの検出結果に基づいて遊技を統括的に制御する遊技制御装置と、入賞部に設けられた変動入賞装置と、を備えた遊技機において、前記遊技制御装置は、遊技に関する制御を行うＣＰＵと、前記ＣＰＵからの制御指令信号を出力する出力ポート回路と、前記ＣＰＵから出力されるアドレス信号に基づいて前記出力ポート回路に前記制御指令信号の取り込みを指示するアドレスデコード回路と、前記出力ポート回路から出力される前記制御指令信号に基づいて前記変動入賞装置を駆動する駆動回路と、前記検出手段からの検出信号が入力される入力ポート回路と、前記検出手段と前記入力ポート回路の間に設けられ、前記検出手段からの検出信号を前記ＣＰＵで検出可能な所定の電圧値に降下させる電圧変換回路と、前記検出手段と前記入力ポート回路の間に設けられる非可逆性の信号伝達回路と、を備え、回路基板に所定の配線パターンを設けることによって、遊技状態に対応して変化する信号を当該遊技制御装置の外部に出力する信号取り出し領域を形成し、前記変動入賞装置を駆動させる前記制御指令信号を前記出力ポート回路の出力部から前記信号取り出し領域に伝達するようにするとともに、前記検出手段からの検出信号を前記非可逆性の信号伝達回路の出力部から前記信号取り出し領域に常時伝達するようにしたことを特徴とする。
【手続補正３】
【補正対象書類名】明細書
【補正対象項目名】００１２
【補正方法】変更
【補正の内容】
【００１２】
本発明では、入賞部への遊技球の入賞を検出する検出手段と、前記検出手段からの検出結果に基づいて遊技を統括的に制御する遊技制御装置と、入賞部に設けられた変動入賞装置と、を備えた遊技機において、前記遊技制御装置は、遊技に関する制御を行うＣＰＵと、前記ＣＰＵからの制御指令信号を出力する出力ポート回路と、前記ＣＰＵから出力されるアドレス信号に基づいて前記出力ポート回路に前記制御指令信号の取り込みを指示するアドレスデコード回路と、前記出力ポート回路から出力される前記制御指令信号に基づいて前記変動入賞装置を駆動する駆動回路と、前記検出手段からの検出信号が入力される入力ポート回路と、前記検出手段と前記入力ポート回路の間に設けられ、前記検出手段からの検出信号を前記ＣＰＵで検出可能な所定の電圧値に降下させる電圧変換回路と、前記検出手段と前記入力ポート回路の間に設けられる非可逆性の信号伝達回路と、を備え、回路基板に所定の配線パターンを設けることによって、遊技状態に対応して変化する信号を当該遊技制御装置の外部に出力する信号取り出し領域を形成し、前記変動入賞装置を駆動させる前記制御指令信号を前記出力ポート回路の出力部から前記信号取り出し領域に伝達するようにするとともに、前記検出手段からの検出信号を前記非可逆性の信号伝達回路の出力部から前記信号取り出し領域に常時伝達するようにしたので、実際の遊技をそのまま再現した信頼性の高い検査を行うことができる。
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
入賞部への遊技球の入賞を検出する検出手段と、
前記検出手段からの検出結果に基づいて遊技を統括的に制御する遊技制御装置と、
入賞部に設けられた変動入賞装置と、を備えた遊技機において、
前記遊技制御装置は、
遊技に関する制御を行うマイクロコンピュータと、
前記マイクロコンピュータからの指令に基づいて前記変動入賞装置を制御する制御指令信号を出力する出力ポート回路と、
前記出力ポート回路から出力される前記制御指令信号に基づいて前記変動入賞装置を駆動する駆動回路と、
前記検出手段からの検出信号が入力される入力ポート回路と、
前記検出手段と前記入力ポート回路の間に設けられる非可逆性の信号伝達回路と、
を備え、
回路基板に所定の配線パターンを設けることによって、遊技状態に対応して変化する信号を当該遊技制御装置の外部に出力する信号取り出し領域を形成し、
前記変動入賞装置を駆動させる前記制御指令信号を前記出力ポート回路の出力部から前記信号取り出し領域に伝達するようにするとともに、前記検出手段からの検出信号を前記非可逆性の信号伝達回路の出力部から前記信号取り出し領域に常時伝達するように構成し、
前記信号取り出し領域には、外部の検査装置に接続するための信号端子が接続可能であって、検査装置を用いた検査の際以外は、前記信号端子が前記所定の配線パターンから取り外されており、
前記マイクロコンピュータは、前記所定の配線パターンから前記信号端子を取り外した状態と、前記所定の配線パターンに前記信号端子を取り付けた状態とで、同一の遊技制御を行うようにしたことを特徴とする遊技機。
【手続補正２】
【補正対象書類名】明細書
【補正対象項目名】００１１
【補正方法】変更
【補正の内容】
【００１１】
本発明は、入賞部への遊技球の入賞を検出する検出手段と、前記検出手段からの検出結果に基づいて遊技を統括的に制御する遊技制御装置と、入賞部に設けられた変動入賞装置と、を備えた遊技機において、前記遊技制御装置は、遊技に関する制御を行うマイクロコンピュータと、前記マイクロコンピュータからの指令に基づいて前記変動入賞装置を制御する制御指令信号を出力する出力ポート回路と、前記出力ポート回路から出力される前記制御指令信号に基づいて前記変動入賞装置を駆動する駆動回路と、前記検出手段からの検出信号が入力される入力ポート回路と、前記検出手段と前記入力ポート回路の間に設けられる非可逆性の信号伝達回路と、を備え、回路基板に所定の配線パターンを設けることによって、遊技状態に対応して変化する信号を当該遊技制御装置の外部に出力する信号取り出し領域を形成し、前記変動入賞装置を駆動させる前記制御指令信号を前記出力ポート回路の出力部から前記信号取り出し領域に伝達するようにするとともに、前記検出手段からの検出信号を前記非可逆性の信号伝達回路の出力部から前記信号取り出し領域に常時伝達するように構成し、前記信号取り出し領域には、外部の検査装置に接続するための信号端子が接続可能であって、検査装置を用いた検査の際以外は、前記信号端子が前記所定の配線パターンから取り外されており、前記マイクロコンピュータは、前記所定の配線パターンから前記信号端子を取り外した状態と、前記所定の配線パターンに前記信号端子を取り付けた状態とで、同一の遊技制御を行うようにしたことを特徴とする。
【手続補正３】
【補正対象書類名】明細書
【補正対象項目名】００１２
【補正方法】変更
【補正の内容】
【００１２】
本発明では、入賞部への遊技球の入賞を検出する検出手段と、前記検出手段からの検出結果に基づいて遊技を統括的に制御する遊技制御装置と、入賞部に設けられた変動入賞装置と、を備えた遊技機において、前記遊技制御装置は、遊技に関する制御を行うマイクロコンピュータと、前記マイクロコンピュータからの指令に基づいて前記変動入賞装置を制御する制御指令信号を出力する出力ポート回路と、前記出力ポート回路から出力される前記制御指令信号に基づいて前記変動入賞装置を駆動する駆動回路と、前記検出手段からの検出信号が入力される入力ポート回路と、前記検出手段と前記入力ポート回路の間に設けられる非可逆性の信号伝達回路と、を備え、回路基板に所定の配線パターンを設けることによって、遊技状態に対応して変化する信号を当該遊技制御装置の外部に出力する信号取り出し領域を形成し、前記変動入賞装置を駆動させる前記制御指令信号を前記出力ポート回路の出力部から前記信号取り出し領域に伝達するようにするとともに、前記検出手段からの検出信号を前記非可逆性の信号伝達回路の出力部から前記信号取り出し領域に常時伝達するように構成し、前記信号取り出し領域には、外部の検査装置に接続するための信号端子が接続可能であって、検査装置を用いた検査の際以外は、前記信号端子が前記所定の配線パターンから取り外されており、前記マイクロコンピュータは、前記所定の配線パターンから前記信号端子を取り外した状態と、前記所定の配線パターンに前記信号端子を取り付けた状態とで、同一の遊技制御を行うようにしたので、実際の遊技をそのまま再現した信頼性の高い検査を行うことができる。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
細胞治療における心臓組織の少なくとも一部分に外因性細胞を投与された心臓の心臓組織の電気治療システムであって、
電極を備えた１つ又は複数のカテーテル・リード線と、
パルス発生器を備え、
前記パルス発生器が、前記１つ又は複数のカテーテル・リード線へ接続するために構成されたインターフェース、複数のパルス伝達モードについてプログラム可能なコントローラ、および前記１つ又は複数のカテーテル・リード線からの電気信号を感知するための感度増幅器を含み、かつ前記パルス発生器が、前記細胞治療を増強するために適合された選択可能なペーシング・モードを含み、前記選択可能なペーシング・モードは、特化した細胞治療のペーシング・サイクルを含み、前記特化した細胞治療のペーシング・サイクルは、前記細胞治療における外因性細胞を投与した前記心臓組織の少なくとも一部分を予め興奮させるために、前記心臓の固有の房室間隔と比較して短い房室遅延を使用して治療用電気刺激を与えるために適合されており、前記選択可能なペーシング・モードは、第一の型のペーシング治療と第二の型のペーシング治療とを与えるために適合されており、前記第一の型のペーシング治療と前記第二の型のペーシング治療とは、前記第二の型のペーシング治療のペーシングに対する前記第一の型のペーシング治療のペーシングのプログラムされた比率である使用率で伝達され、前記第一の型のペーシング治療が、特化した細胞治療のペーシング・サイクルを含むシステム。
【請求項２】
前記治療用電気刺激が、前記房室遅延を有するＶＤＤペーシング・モードを含む請求項１に記載のシステム。
【請求項３】
前記治療用電気刺激が、前記房室遅延を有するＤＤＤペーシング・モードを含む請求項１に記載のシステム。
【請求項４】
前記房室遅延が経時的に漸次変動する請求項２、３のいずれかに記載のシステム。
【請求項５】
前記治療用電気刺激が、さらなるペーシングと除細動治療との間に与えられる請求項１から４のいずれかに記載のシステム。
【請求項６】
前記治療用電気刺激が、一日のある時間に対してプログラム可能である請求項１から５のいずれかに記載のシステム。
【請求項７】
前記治療用電気刺激が、比較的活動的でない期間に対してプログラム可能である請求項６に記載のシステム。
【請求項８】
前記治療用電気刺激が、睡眠時間に対してプログラム可能である請求項７に記載のシステム。
【請求項９】
前記治療用電気刺激が、患者における決まったレベルの応力についてプログラム可能なパラメータを有する請求項１から５のいずれかに記載のシステム。
【請求項１０】
前記治療用電気刺激が、患者における決まったレベルの活動についてプログラム可能なパラメータを有する請求項１から５のいずれかに記載のシステム。
【請求項１１】
加速度計をさらに含み、前記加速度計のデータが、治療用電気刺激を何時適用すべきかを決定するために使用される請求項１から１０のいずれかに記載のシステム。
【請求項１２】
前記治療用電気刺激がプログラマーによって起動される請求項１から１１のいずれかに記載のシステム。
【請求項１３】
リード線の配置が、治療用電気刺激のタイプを決定するために使用される請求項１から１２のいずれかに記載のシステム。
【請求項１４】
前記１つ又は複数のカテーテル・リード線が、前記治療用電気刺激を加えること、心臓の電気的活動を感知することの一方又は複数のために、各々が１つ又は複数の電極を含む心房リード、第一の心室リード、および第二の心室リードを含む請求項１から１３のいずれかに記載のシステム。
【請求項１５】
前記治療用電気刺激が、第一の房室遅延と第二の房室遅延とを有する二心室性ペーシング・モードを含む請求項１４に記載のシステム。
【請求項１６】
前記治療用電気刺激が、房室遅延と心室間遅延とを有する二心室性ペーシング・モードを含む請求項１４に記載のシステム。
【請求項１７】
本明細書中に記載されるシステム。
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
モータと、
前記モータを収容するハウジングと、
前記モータによって回転される遊星ギヤ機構と、
前記遊星ギヤ機構によって回転されるハンマと、
前記ハンマによる回転打撃力が伝達されるアンビルと、
前記遊星ギヤ機構、前記ハンマ、前記アンビルを収容するギヤカバー及びハンマケースと、を有する回転打撃工具であって、
前記ギヤカバー又は前記ハンマケースの少なくとも一方に、貫通孔を形成し、
前記貫通孔を通気性部材で塞いだことを特徴とする回転打撃工具。
【請求項２】
前記ハンマケースに前記貫通孔が設けられており、
前記ハンマケースには、凸状リブが設けられており、
前記凸状リブに前記通気性部材は保持されており、
前記ハウジングは、前記凸状リブと嵌合するよう構成されていることを特徴とする請求項１記載の回転打撃工具。
【請求項３】
前記凸状リブは、第１の凸状リブと、第２の凸状リブとを有し、
前記貫通穴は、前記第１の凸状リブと、前記第２の凸状リブの間に設けられることを特徴とする請求項２記載の回転打撃工具。
【請求項４】
前記ハンマケースに前記貫通孔が設けられており、
前記ハウジングは、前記貫通孔、前記通気性部材を覆うように設けられることを特徴とする請求項１記載の回転打撃工具。
【請求項５】
前記貫通孔は、前記ハンマケースの下部に設けられることを特徴とする請求項１から請求項４のいずれか１項記載の回転打撃工具。
【請求項６】
前記ギヤカバーは、前記遊星ギヤ機構を保持しており、
前記ギヤカバーに前記貫通孔が設けられており、
前記ギヤカバーに前記通気性部材を設けたことを特徴とする請求項１記載の回転打撃工具。
【請求項７】
前記通気性部材は、前記ギヤカバーと前記ハウジングによって挟まれるよう配置されることを特徴とする請求項６記載の回転打撃工具。
【請求項８】
前記遊星ギヤ機構には、スピンドルが接続されており、
前記スピンドルに前記ハンマが保持されており、
前記スピンドルを回転可能に保持するベアリングが設けられており、
前記ギヤカバーに前記ベアリングが保持されており、
前記ベアリングの径方向外側に前記通気性部材が設けられることを特徴とする請求項６又は請求項７記載の回転打撃工具。
【請求項９】
モータと、
前記モータを収容するハウジングと、
前記モータにより駆動される回転打撃機構と、
前記回転打撃機構に接続される先端工具と、
前記回転打撃機構を収容するギヤカバー及びハンマケースと、を有する回転打撃工具であって、
前記ギヤカバー又は前記ハンマケースの少なくとも一方に、貫通孔を形成し、
前記貫通孔を通気性部材で塞いだことを特徴とする回転打撃工具。
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
記述言語文書をレンダリングするレンダリング手段と、
前記記述言語文書で指定された色情報を、前記記述言語文書を印刷する印刷デバイス用の色情報に圧縮することで変換するカラーマッチング手段と、
前記カラーマッチング手段による前記変換を前記レンダリング前に行なうか前記レンダリング後に行なうかを設定する設定手段と、
前記レンダリング手段において特定のレンダリング命令をレンダリングする場合、前記設定手段における設定に関わらず前記カラーマッチング手段による前記変換を前記レンダリング前か前記レンダリング後かのいずれかを常に選択する特例判定手段と、を備えることを特徴とする印刷装置。
【請求項２】
前記特定のレンダリング命令は、グラデーション命令であり、前記特例判定手段において、前記カラーマッチング手段による前記変換を前記レンダリング前に行なうことが選択されることを特徴とする請求項１に記載の印刷装置。
【請求項３】
記述言語文書をレンダリングするレンダリングステップと、
前記記述言語文書で指定された色情報を、前記記述言語文書を印刷する印刷デバイス用の色情報に圧縮することで変換するカラーマッチングステップと、
前記カラーマッチングステップによる前記変換を前記レンダリング前に行なうか前記レンダリング後に行なうかを設定する設定ステップと、
前記レンダリングステップにおいて特定のレンダリング命令をレンダリングする場合、前記設定ステップにおける設定に関わらず前記カラーマッチングステップによる前記変換を前記レンダリング前か前記レンダリング後かのいずれかを常に選択する特例判定ステップと、を備えることを特徴とする印刷装置の制御方法。
【請求項４】
前記特定のレンダリング命令は、グラデーション命令であり、前記特例判定ステップにおいて、前記カラーマッチングステップによる前記変換を前記レンダリング前に行なうことが選択されることを特徴とする請求項３に記載の印刷装置の制御方法。
【請求項５】
記述言語文書を印刷する印刷装置に実行させるための制御プログラムであって、
前記記述言語文書をレンダリングするレンダリングステップと、
前記記述言語文書で指定された色情報を、前記記述言語文書を印刷する印刷デバイス用の色情報に圧縮することで変換するカラーマッチングステップと、
前記カラーマッチングステップによる前記変換を前記レンダリング前に行なうか前記レンダリング後に行なうかを設定する設定ステップと、
前記レンダリングステップにおいて特定のレンダリング命令をレンダリングする場合、前記設定ステップにおける設定に関わらず前記カラーマッチングステップによる前記変換を前記レンダリング前か前記レンダリング後かのいずれかを常に選択する特例判定ステップと、を備えることを特徴とする印刷装置に実行させるための制御プログラム。
【請求項６】
前記特定のレンダリング命令は、グラデーション命令であり、前記特例判定ステップにおいて、前記カラーマッチングステップによる前記変換を前記レンダリング前に行なうことが選択されることを特徴とする請求項５に記載の印刷装置の制御プログラム。
【請求項７】
請求項５または請求項６に記載のプログラムを格納したコンピュータ読み取り可能な記憶媒体。
【請求項８】
請求項５または請求項６に記載のプログラムを格納したＷｅｂサーバ。
【請求項９】
記述言語文書をレンダリング部でレンダリングし、
前記記述言語文書で指定された色情報を、カラーマッチング部で前記記述言語文書を印刷する出力デバイス用の色情報に変換する画像処理方法であって、
前記記述言語文書のうちグラデーションに関するレンダリングについては、前記カラーマッチングによる前記変換を前記レンダリング前に行なうことを特徴とする画像処理方法。
【手続補正２】
【補正対象書類名】明細書
【補正対象項目名】０００８
【補正方法】変更
【補正の内容】
【０００８】
上記課題を解決するために、本発明に係る印刷装置は、記述言語文書をレンダリングするレンダリング手段と、前記記述言語文書で指定された色情報を、前記記述言語文書を印刷する印刷デバイス用の色情報に圧縮することで変換するカラーマッチング手段と、前記カラーマッチング手段による前記変換を前記レンダリング前に行なうか前記レンダリング後に行なうかを設定する設定手段と、前記レンダリング手段において特定のレンダリング命令をレンダリングする場合、前記設定手段における設定に関わらず前記カラーマッチング手段による前記変換を前記レンダリング前か前記レンダリング後かのいずれかを常に選択する特例判定手段と、を備えることを特徴とする。
【手続補正３】
【補正対象書類名】明細書
【補正対象項目名】００１０
【補正方法】変更
【補正の内容】
【００１０】
また、本発明は、記述言語文書を印刷する印刷装置の制御方法であって、記述言語文書をレンダリングするレンダリングステップと、前記記述言語文書で指定された色情報を、前記記述言語文書を印刷する印刷デバイス用の色情報に圧縮することで変換するカラーマッチングステップと、前記カラーマッチングステップによる前記変換を前記レンダリング前に行なうか前記レンダリング後に行なうかを設定する設定ステップと、前記レンダリングステップにおいて特定のレンダリング命令をレンダリングする場合、前記設定ステップにおける設定に関わらず前記カラーマッチングステップによる前記変換を前記レンダリング前か前記レンダリング後かのいずれかを常に選択する特例判定ステップと、を備えることを特徴とする。
【手続補正４】
【補正対象書類名】明細書
【補正対象項目名】００１２
【補正方法】変更
【補正の内容】
【００１２】
また、本発明は、記述言語文書を印刷する印刷装置に実行させるための制御プログラムであって、前記記述言語文書をレンダリングするレンダリングステップと、前記記述言語文書で指定された色情報を、前記記述言語文書を印刷する印刷デバイス用の色情報に圧縮することで変換するカラーマッチングステップと、前記カラーマッチングステップによる前記変換を前記レンダリング前に行なうか前記レンダリング後に行なうかを設定する設定ステップと、前記レンダリングステップにおいて特定のレンダリング命令をレンダリングする場合、前記設定ステップにおける設定に関わらず前記カラーマッチングステップによる前記変換を前記レンダリング前か前記レンダリング後かのいずれかを常に選択する特例判定ステップと、を備えることを特徴とする。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
電子写真プロセスにより複数の記録材を重ね合わせて多色記録を行う画像形成装置であって、
前記複数の記録材の各々のビットマップデータを生成する生成手段と、
前記複数の記録材のうち、第１の記録材のビットマップデータと、第２の記録材のビットマップデータとを比較して、前記第１の記録材と前記第２の記録材とが重畳する重畳領域を検出する検出手段と、
前記重畳領域における前記第１の記録材または前記第２の記録材の載り量を抑制する制御手段と、
を有することを特徴とする画像形成装置。
【請求項２】
前記制御手段は、前記第１の記録材または前記第２の記録材のいずれか一方のビットマップデータの、前記重畳領域における少なくとも一部のデータを０に変更することにより、前記記録材の載り量を抑制することを特徴とする請求項１に記載の画像形成装置。
【請求項３】
前記検出手段は、前記記録材ごとの色版間におけるずれ量を検出し、当該ずれ量に応じて前記第１の記録材と前記第２の記録材とが重畳する領域を検出することを特徴とする請求項１または２に記載の画像形成装置。
【請求項４】
前記検出手段によるずれ量の検出は、レジストレーションずれ公差と前記色版の網点周期とに基づいて行うことを特徴とする請求項３に記載の画像形成装置。
【請求項５】
前記検出手段によるずれ量の検出は、注目画素の近傍画素パターンに基づいて行うことを特徴とする請求項３に記載の画像形成装置。
【請求項６】
前記制御手段は、前記重畳領域において載り量が抑制された記録材のデータを当該重畳領域の周辺領域に配置させることを特徴とする請求項２に記載の画像形成装置。
【請求項７】
電子写真プロセスにより複数の記録材を重ね合わせて多色記録を行う画像形成装置における画像形成方法であって、
生成手段が、前記複数の記録材の各々のビットマップデータを生成する生成工程と、
検出手段が、前記複数の記録材のうち、第１の記録材のビットマップデータと、第２の記録材のビットマップデータとを比較して、前記第１の記録材と前記第２の記録材とが重畳する重畳領域を検出する検出工程と、
制御手段が、前記重畳領域における前記第１の記録材または前記第２の記録材の載り量を抑制する制御工程と、
を有することを特徴とする画像形成方法。
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
インクを吐出可能な複数のノズルが所定方向に沿う複数の列状に備えられ、かつ前記所定方向と交差する方向において互いに隣接するノズル列のつなぎ部分において、それらの隣接するノズル列の所定数のノズル同士が前記所定方向と交差する方向にオーバーラップするインクジェット記録ヘッドであって、
前記つなぎ部分においてオーバーラップするノズル同士から吐出されるインクの着弾位置のずれ量を小さくするように、前記つなぎ部分のノズルから吐出されたインクが記録媒体に着弾したときの着弾位置のずれ量に応じて、前記隣接するノズル列の前記所定方向における相対位置を設定することを特徴とするインクジェット記録ヘッド。
【請求項２】
前記着弾位置のずれ量は、前記つなぎ部分のノズルから吐出されるインクのよれ量の影響が大きい濃度の画像を記録したときのずれ量であることを特徴とする請求項１に記載のインクジェット記録ヘッド。
【請求項３】
前記隣接するノズル列は互いに隣接するチップのそれぞれに形成され、
前記隣接するノズル列の前記所定方向における相対位置は、前記隣接するチップの前記所定方向における相対的な配置位置に応じて設定することを特徴とする請求項１または２に記載のインクジェット記録ヘッド。
【請求項４】
インクを吐出可能な複数のノズルが所定方向に沿う複数の列状に備えられたインクジェット記録ヘッドを用い、前記インクジェット記録ヘッドからインクを吐出させつつ、前記所定方向と交差する方向に前記インクジェット記録ヘッドと記録媒体とを相対移動させることによって、前記記録媒体に画像を記録可能なインクジェット記録装置において、
前記インクジェット記録ヘッドとして請求項１から３のいずれかに記載のインクジェット記録ヘッドを用い、
前記つなぎ部分においてオーバーラップするノズル同士を選択的に使用する制御手段を備えることを特徴とするインクジェット記録装置。
【請求項５】
前記制御手段は、前記隣接するノズル列の前記つなぎ部分による記録画像の記録ドット密度を前記つなぎ部分の端部に向かって徐々に減少させるように、前記オーバーラップするノズルを制御することを特徴とする請求項４に記載のインクジェット記録装置。
【請求項６】
インクを吐出可能な複数のノズルが所定方向に沿う複数の列状に備えられ、かつ前記所定方向と交差する方向において互いに隣接するノズル列のつなぎ部分において、それらの隣接するノズル列の所定数のノズル同士が前記所定方向と交差する方向にオーバーラップするインクジェット記録ヘッドの製造方法であって、
前記つなぎ部分においてオーバーラップするノズル同士から吐出されるインクの着弾位置のずれ量を小さくするように、前記つなぎ部分のノズルから吐出されたインクが記録媒体に着弾したときの着弾位置のずれ量に応じて、前記隣接するノズル列の前記所定方向における相対位置を設定することを特徴とするインクジェット記録ヘッドの製造方法。
【請求項７】
前記着弾位置のずれ量は、前記つなぎ部分のノズルから吐出されるインクのよれ量の影響が大きい濃度の画像を記録したときのずれ量であることを特徴とする請求項６に記載のインクジェット記録ヘッドの製造方法。
【請求項８】
前記着弾位置のずれ量は、インクが着弾した前記記録媒体の光学濃度に基づいて検出されることを特徴とする請求項６または７に記載のインクジェット記録ヘッドの製造方法。
【請求項９】
前記隣接するノズル列は互いに隣接するチップのそれぞれに形成し、
前記隣接するノズル列の前記所定方向における相対位置は、前記隣接するチップの前記所定方向における相対的な配置位置に応じて設定することを特徴とする請求項６から８のいずれかに記載のインクジェット記録ヘッドの製造方法。
【手続補正２】
【補正対象書類名】明細書
【補正対象項目名】００１２
【補正方法】変更
【補正の内容】
【００１２】
本発明のインクジェット記録ヘッドは、インクを吐出可能な複数のノズルが所定方向に沿う複数の列状に備えられ、かつ前記所定方向と交差する方向において互いに隣接するノズル列のつなぎ部分において、それらの隣接するノズル列の所定数のノズル同士が前記所定方向と交差する方向にオーバーラップするインクジェット記録ヘッドであって、前記つなぎ部分においてオーバーラップするノズル同士から吐出されるインクの着弾位置のずれ量を小さくするように、前記つなぎ部分のノズルから吐出されたインクが記録媒体に着弾したときの着弾位置のずれ量に応じて、前記隣接するノズル列の前記所定方向における相対位置を設定することを特徴とする。
【手続補正３】
【補正対象書類名】明細書
【補正対象項目名】００１３
【補正方法】変更
【補正の内容】
【００１３】
本発明のインクジェット記録装置は、インクを吐出可能な複数のノズルが所定方向に沿う複数の列状に備えられたインクジェット記録ヘッドを用い、前記インクジェット記録ヘッドからインクを吐出させつつ、前記所定方向と交差する方向に前記インクジェット記録ヘッドと記録媒体とを相対移動させることによって、前記記録媒体に画像を記録可能なインクジェット記録装置において、前記インクジェット記録ヘッドとして上記のインクジェット記録ヘッドを用い、前記つなぎ部分においてオーバーラップするノズル同士を選択的に使用する制御手段を備えることを特徴とする。
【手続補正４】
【補正対象書類名】明細書
【補正対象項目名】００１４
【補正方法】変更
【補正の内容】
【００１４】
本発明のインクジェット記録ヘッドの製造方法は、インクを吐出可能な複数のノズルが所定方向に沿う複数の列状に備えられ、かつ前記所定方向と交差する方向において互いに隣接するノズル列のつなぎ部分において、それらの隣接するノズル列の所定数のノズル同士が前記所定方向と交差する方向にオーバーラップするインクジェット記録ヘッドの製造方法であって、前記つなぎ部分においてオーバーラップするノズル同士から吐出されるインクの着弾位置のずれ量を小さくするように、前記つなぎ部分のノズルから吐出されたインクが記録媒体に着弾したときの着弾位置のずれ量に応じて、前記隣接するノズル列の前記所定方向における相対位置を設定することを特徴とする。